(57)【要約】【課題】軸受の回転抵抗の少ない精密な玉軸受を用いこれをポ―タブルガンの回転支持軸受構造に容易に組み込むようにして、組み付けが容易で作業者の回転操作時の負担が少なく長期の使用に耐え得る、ポ―タブルガンの回転支持軸受構造を提供する。【解決手段】ガン本体２が吊り金具に吊り下げられたベルサポ―トにより支持されたポ―タブルガンにおいて、ガン本体の外周にベルサポ―トの玉軸受３の内輪３１を軸支し、該玉軸受の外輪３２をガン本体支持リング４に形成した凹穴４１の周面４２に密着させ、該玉軸受を介してガン本体とガン本体支持リングとを相互に回動可能に一体化したポ―タブルガンの回転支持軸受構造。【選択図】        図３
2007075829.tif 000002
【特許請求の範囲】
【請求項１】
ガン本体が吊り金具に吊り下げられたベルサポ―トにより支持されたポ―タブルガンにおいて、ガン本体の外周にベルサポ―トの玉軸受の内輪を軸支し、該玉軸受の外輪をガン本体支持リングに形成した凹穴の周面に密着させ、該玉軸受を介してガン本体とガン本体支持リングとを相互に回動可能に一体化したことを特徴とするポ―タブルガンの回転支持軸受構造。
【請求項２】
前記玉軸受の内輪の外表面を複数の係止部材によりガン本体に係止し、玉軸受の外表面をリング状の覆い板で覆うと共に該覆い板の複数箇所を前記ガン本体支持リングに止着したことを特徴とする請求項１記載のポ―タブルガンの回転支持軸受構造。
【発明の詳細な説明】
【技術分野】
【０００１】
本発明は、ガン本体が吊り金具に吊り下げられたベルサポ―トにより支持されたポ―タブルガンにおけるポ―タブルガンの回転支持軸受構造に関するものである。
【背景技術】
【０００２】
従来，ガン本体が吊り金具に吊り下げられたベルサポ―トにより支持されたポ―タブルガンにおけるポ―タブルガンの回転支持軸受構造として、ガン本体側に整形されたボ―ル受け溝とガン本体支持リング側に整形されたボ―ル受け溝との間に多数のボ―ルを挿入配置し、該ボ―ルを介してガン本体とガン本体支持リングとを相互に回動可能に一体化したものがある（例えば、特許文献１参照。）。
【０００３】
【特許文献１】特公平７―６３８５０号公報
【発明の開示】
【発明が解決しようとする課題】
【０００４】
ところで、ポ―タブルガンの回転支持軸受構造においては、作業者の回転操作時の負担をできるだけ小さくするため軸受の回転抵抗を少しでも小さくする必要があるが、上記従来の技術においては、ガン本体側及びガン本体支持リング側に精度の高い受け溝を整形するのが難しく、その加工も大変であり、ボ―ルの受け側の材質硬度にも難点があり、しかも多数のボ―ルを挿入する作業も容易でなく、リティナ―の使用も不可能に近く、結果的にボ―ルの軌道面が傷つきやすくまたボ―ルの回転抵抗が大きくしかも長期の使用に耐え難い、という問題がある。
【０００５】
本発明は、従来の技術の有するこのような問題点に鑑みてなされたものであり、その目的とするところは、軸受の回転抵抗の少ない精密な玉軸受を用いこれをポ―タブルガンの回転支持軸受構造に容易に組み込むようにして、組み付けが容易で作業者の回転操作時の負担が少なく長期の使用に耐え得る、ポ―タブルガンの回転支持軸受構造を提供しようとするものである。
【課題を解決するための手段】
【０００６】
上記目的を達成するために、本発明におけるポ―タブルガンの回転支持軸受構造は、ガン本体の外周にベルサポ―トの玉軸受の内輪を軸支し、該玉軸受の外輪をガン本体支持リングに形成した凹穴の周面に密着させ、該玉軸受を介してガン本体とガン本体支持リングとを相互に回動可能に一体化したことを特徴とする、ものである。
【０００７】
また、前記玉軸受の内輪の外表面を複数の係止部材によりガン本体に係止し、玉軸受の外表面をリング状の覆い板で覆うと共に該覆い板の複数箇所を前記ガン本体支持リングに止着したことを特徴とする、ものである。
【発明の効果】
【０００８】
本発明に係るポ―タブルガンの回転支持軸受構造では、ガン本体でベルサポ―トの玉軸受の内輪を軸支し、該玉軸受の外輪をガン本体支持リングに密着させ、該玉軸受を介してガン本体とガン本体支持リングとを相互に回動可能に一体化したので、軸受に精度のある市販の玉軸受が簡単，容易に組み込まれ、組み付けが容易で作業者の回転操作時の負担が少なく長期の使用に耐え得るポ―タブルガンの回転支持軸受構造となる。
【０００９】
また、前記玉軸受の内輪の外表面を複数の係止部材によりガン本体に係止し、玉軸受の外表面をリング状の覆い板で覆うと共に該覆い板の複数箇所を前記ガン本体支持リングに止着した場合には、玉軸受がガン本体とガン本体支持リング間に確実に保持され軸受の精度に狂いがない、しかも覆い板によりグリスの漏れも少ない更に長期の使用に耐え得るポ―タブルガンの回転支持軸受構造となる。
【発明を実施するための最良の形態】
【００１０】
図１ないし図３は本発明を実施するのに適したポ―タブルガンの回転支持軸受構造を示すものであり、この回転支持軸受構造１は、ガン本体２の外周２１にベルサポ―トの玉軸受３の内輪３１を軸支し、該玉軸受３の外輪３２をガン本体支持リング４に形成した凹穴４１の周面４２に密着させ、該玉軸受３を介してガン本体２とガン本体支持リング４とを相互に回動可能に一体化したもの、である。
【実施例１】
【００１１】
図１において、Ｘ型ポ―タブルガンは、固定ア―ム５と可動ア―ム６とを軸支する主軸７を備え、固定ア―ム５側のガン本体２には、前記両ア―ム５，６へ溶接電流を流通させるトランス８と前記可動ア―ム６を揺動させる駆動装置９が取り付けられている。
【００１２】
そして、該ポ―タブルガンは、ガン本体２が吊り金具（図示せず）に吊り下げられた回転支持軸受構造１によって、その姿勢が任意に変更できるようになっている。
【００１３】
図２，３をも参照すると、回転支持軸受構造１では、ガン本体２の外周２１の縮径された断差部２２にベルサポ―トの玉軸受３の内輪３１が軸支されている。このガン本体２の後端側には前記トランス８や駆動装置９が取り付けられ、前端側には前記固定ア―ム５が取り付けられている。また、前記可動ア―ム６はこのガン本体２に設けた前記主軸７を支点として揺動可能に軸支されている。
【００１４】
ガン本体支持リング４は断面Ｌ字形でリングに構成され、該リングの外側一側には吊り金具側に接続される接続具４３が形成されている。そして、前記リングには凹穴４１が形成され、該凹穴４１の周面４２には前記玉軸受３の外輪３２が密着されるように取り付けられる。
【００１５】
このように、ガン本体２で玉軸受３の内輪３１を軸支し、該玉軸受３の外輪３２をガン本体支持リング４に密着させ、該玉軸受３を介してガン本体２とガン本体支持リング４とを相互に回動可能に一体化したので、軸受に精度のある市販の玉軸受３が簡単，容易に組み込まれ、組み付けが容易で作業者の回転操作時の負担が少なく長期の使用に耐え得るポ―タブルガンの回転支持軸受構造となる。
【実施例２】
【００１６】
上記実施例１に記載のポ―タブルガンの回転支持軸受構造において、ガン本体２には、前記玉軸受３の内輪３１の外表面を該ガン本体２に係止するための係止部材２３を取り付ける取り付けねじ孔２４が複数個形成せれている。
【００１７】
また、玉軸受３の外表面にはリング状の覆い板３３が配置され、該覆い板３３は前記ガン本体支持リング４に複数箇所で止着されるようになっている。そのためにガン本体支持リング４には、覆い板３３を止着する取り付けねじ孔４４が複数個形成せれている。
【００１８】
このように、玉軸受３の内輪３１の外表面を複数の係止部材２３によりガン本体２に係止し、玉軸受３の外表面をリング状の覆い板３３で覆うと共に該覆い板３３の複数箇所を前記ガン本体支持リング４に止着した場合には、玉軸受３がガン本体２とガン本体支持リング４間に確実に保持され軸受３の精度に狂いがない、しかも覆い板３３によりグリスの漏れも少ない更に長期の使用に耐え得るポ―タブルガンの回転支持軸受構造１となる。
【図面の簡単な説明】
【００１９】
【図１】図１は本発明に係る回転支持軸受構造を備えたＸ型ポ―タブルガンの概略構成説明図である。
【図２】図２は本発明に係る回転支持軸受構造の正面図である。
【図３】図３は図図２のＡ―Ａ断面で一部拡大図を含むものである。
【符号の説明】
【００２０】
１                        回転支持軸受構造
２                        ガン本体
３                        玉軸受
４                        ガン本体支持リング
２１                      ガン本体の外周
２３                      係止部材
２４                      ねじ孔
３１                      玉軸受の内輪
３２                      玉軸受の外輪
３３                      覆い板
４１                      凹穴
４２                      凹穴の周面
４４                      ねじ孔
【図１】
2007075829.tif 000003
【図２】
2007075829.tif 000004
【図３】
2007075829.tif 000005